(57)【要約】  分散発現のシステム及び方法が記載される。１つのそのようなシステムは、状態データ及び対応する空間座標データを含むデータセットを生成するように構成されるデータ生成器を含み得る。データセットは、受信ユニットがそのダイナミックレンジ内で動作できるようにするように符号化し得る。データセットは、１つ又は複数のプロジェクタを使用して、ターゲットエリアの方向に送信し得る。ターゲットエリアは、第１のエリア及び第２のエリアを含み得る。幾つかの状況では、第１のエリア及び第２のエリアは、空間において重複しない。他の状況では、第１のエリア及び第２のエリアは、少なくとも部分的に重複し得る。システムは、プロジェクタを互いに同期させる同期シーケンスを提供するように構成されるプロセッサを更に含み得る。
2019536494.tif 000002
【特許請求の範囲】
【請求項１】
システムであって、
複数の受信ユニットと、
データを前記複数の受信ユニットに送信するように構成された少なくとも１つの送信機ユニットであって、前記データは、複数のターゲットロケーションのそれぞれに対応する状態情報を含み、前記状態情報は、シンボルシーケンスにより前記データにおいて表され、前記シーケンスは、連続して６個未満の等しいシンボルを含む、少なくとも１つの送信機ユニットと
を含み、
前記複数の受信ユニットのそれぞれ１つは、前記複数のターゲットロケーションのうちのターゲットロケーションにおける前記データを受信して、前記データを処理し、前記データが受信された前記ターゲットロケーションに対応する前記状態情報に従って状態を表現するように構成される、システム。
【請求項２】
前記シンボルシーケンスは、連続して５個未満の等しいシンボルを含む、請求項１に記載のシステム。
【請求項３】
前記シンボルシーケンスは、連続して４個未満の等しいシンボルを含む、請求項１に記載のシステム。
【請求項４】
前記少なくとも１つの送信機ユニットは、発光素子を含み、前記状態情報は、前記発光素子によって発せられる光波に符号化される、請求項１に記載のシステム。
【請求項５】
前記発光素子は、前記光波を生成するように構成されたレーザを含む、請求項４に記載のシステム。
【請求項６】
前記少なくとも１つの送信機ユニットは、第１の波長を有する第１の光波を変調することにより前記複数の受信ユニットのうちの第１の受信ユニットに前記状態情報を送信し、前記第１の波長と異なる第２の波長を有する第２の光波を変調することにより、前記複数の受信ユニットのうちの第２の受信ユニットに前記状態情報を送信するように構成される、請求項１に記載のシステム。
【請求項７】
前記複数の受信ユニットのそれぞれは、１つ又は複数の視覚的特徴の表現、１つ又は複数の音声の生成、匂いの生成、移動、形状変更、及び１つ又は複数の触覚特徴の表現からなる状態群から選択される状態を表現するように構成される、請求項１に記載のシステム。
【請求項８】
前記複数の受信ユニットのそれぞれは、前記状態を表現するように動作可能な状態変更構成要素を含み、前記状態変更構成要素は、発光ダイオード、有機発光ダイオード、量子ドット、白熱灯、ネオン灯、液晶ディスプレイ、プラズマディスプレイ、電子ペーパーディスプレイ、エレクトロクロミックディスプレイ、サーモクロミックディスプレイ、電子機械作動光フィルタ、エレクトロルミネセント素子、及び燐光発光素子からなる群から選択される、請求項１に記載のシステム。
【請求項９】
前記複数の受信ユニットのうちの少なくとも１つは、ウェアラブルデバイスに配置される、請求項１に記載のシステム。
【請求項１０】
前記少なくとも１つの送信機ユニットは、第１の時間間隔中、前記複数の受信ユニットのうちの第１の受信ユニットに前記状態情報を送信し、前記第１の時間間隔と異なる第２の時間間隔中、前記複数の受信ユニットのうちの第２の受信ユニットに前記状態情報を送信するように構成される、請求項１に記載のシステム。
【請求項１１】
システムであって、
第１のエリアに配置される第１の複数の受信ユニットと、
前記第１のエリアとは別個の第２のエリアに配置される第２の複数の受信ユニットと、
前記第２の複数の受信ユニットのいずれも第１のデータを受信しないように、前記第１のデータを前記第１のエリアに送信するように構成された少なくとも１つの第１の送信機ユニットであって、前記第１のデータは、複数のターゲットロケーションのそれぞれに対応する第１の状態情報を含む、少なくとも１つの第１の送信機ユニットと、
前記第１の複数の受信ユニットのいずれも第２のデータを受信しないように、前記第２のデータを前記第２のエリアに送信するように構成された少なくとも１つの第２の送信機ユニットであって、前記第２のデータは、前記複数のターゲットロケーションのそれぞれに対応する第２の状態情報を含む、少なくとも１つの第２の送信機ユニットと
を含み、
前記第１の複数の受信ユニットのそれぞれ１つは、前記複数のターゲットロケーションのうちの第１のターゲットロケーションにおいて前記第１のデータを受信し、前記第１のデータを処理し、前記第１のデータが受信されたとき、前記１つの第１の受信ユニットが前記第１のターゲットロケーションにあった結果として、前記第１のターゲットロケーションに対応する前記第１の状態情報に従って状態を表現するように構成され、
前記第２の複数の受信ユニットのそれぞれ１つは、前記複数のターゲットロケーションのうちの第２のターゲットロケーションにおいて前記第２のデータを受信し、前記第２のデータを処理し、前記第２のデータが受信されたとき、前記１つの第２の受信ユニットが前記第２のターゲットロケーションにあった結果として、前記第２のターゲットロケーションに対応する前記第２の状態情報に従って状態を表現するように構成される、システム。
【請求項１２】
前記第１のエリアは、前記第２のエリアを少なくとも部分的に囲む、請求項１１に記載のシステム。
【請求項１３】
前記少なくとも１つの第１の送信機ユニット及び前記少なくとも１つの第２の送信機ユニットに同期信号を提供することにより、前記少なくとも１つの第１の送信機ユニットを前記少なくとも１つの第２の送信機ユニットと同期させるように構成されるプロセッサを更に含む、請求項１１に記載のシステム。
【請求項１４】
前記第１の複数の受信ユニット及び前記第２の複数の受信ユニットのそれぞれは、１つ又は複数の視覚的特徴の表現、１つ又は複数の音声の生成、匂いの生成、移動、及び１つ又は複数の触覚特徴の表現からなる状態群から選択される状態を表現するように構成される、請求項１１に記載のシステム。
【請求項１５】
前記第１の複数の受信ユニット及び前記第２の複数の受信ユニットのそれぞれは、状態を表現するように動作可能な状態変更構成要素を含み、前記状態変更構成要素は、発光ダイオード、有機発光ダイオード、量子ドット、白熱灯、ネオン灯、液晶ディスプレイ、プラズマディスプレイ、電子ペーパーディスプレイ、エレクトロクロミックディスプレイ、サーモクロミックディスプレイ、電子機械作動光フィルタ、エレクトロルミネセント素子、及び燐光発光素子からなる群から選択される、請求項１１に記載のシステム。
【請求項１６】
前記少なくとも１つの第１の送信機ユニットは、第１の発光素子を含み、前記第１のデータは、前記第１の発光素子によって発せられる第１の光波に符号化され、前記少なくとも１つの第２の送信機ユニットは、第２の発光素子を含み、前記第２のデータは、前記第２の発光素子によって発せられる第２の光波に符号化される、請求項１１に記載のシステム。
【請求項１７】
前記少なくとも１つの第１の送信機は、前記第１の光波を生成するように構成されたレーザを含む、請求項１６に記載のシステム。
【請求項１８】
前記少なくとも１つの第１の送信機ユニットは、第１の波長を有する第１の光波を変調することにより前記第１の複数の受信ユニットのうちの第１の受信ユニットに前記第１のデータを送信し、前記第１の波長と異なる第２の波長を有する第２の光波を変調することにより、前記第１の複数の受信ユニットのうちの第２の受信ユニットに前記第１のデータを送信するように構成される、請求項１１に記載のシステム。
【請求項１９】
システムであって、
第１のエリア内に配置される第１の複数の受信ユニットと、
前記第１のエリアに部分的に重複する第２のエリア内に配置される第２の複数の受信ユニットと、
第１のデータを前記第１のエリアに送信するように構成された少なくとも１つの第１の送信機ユニットであって、前記第１のデータは、複数のターゲットロケーションにそれぞれ対応する第１の状態情報を含む、少なくとも１つの第１の送信機ユニットと、
第２のデータを前記第２のエリアに送信するように構成された少なくとも１つの第２の送信機ユニットであって、前記第２のデータは、複数のターゲットロケーションにそれぞれ対応する第２の状態情報を含む、少なくとも１つの第２の送信機ユニットと
を含み、
前記第１の複数の受信ユニットのそれぞれ１つは、前記複数のターゲットロケーションの第１のターゲットロケーションにおいて前記第１のデータを受信し、前記第１のデータを処理し、前記第１のデータが受信されたとき、前記第１の受信ユニットのそれぞれが前記第１のターゲットロケーションにあったことの結果として、前記第１のターゲットロケーションに対応する前記第１の状態情報に従って状態を表現するように構成され、
前記第２の複数の受信ユニットのそれぞれ１つは、前記複数のターゲットロケーションの第２のターゲットロケーションにおいて前記第２のデータを受信し、前記第２のデータを処理し、前記第２のデータが受信されたとき、前記第２の受信ユニットのそれぞれが前記第２のターゲットロケーションにあったことの結果として、前記第２のターゲットロケーションに対応する前記第２の状態情報に従って状態を表現するように構成され、
前記第１の複数の受信ユニットの少なくとも１つは、前記第１のデータ及び前記第２のデータの両方を受信するように構成される、システム。
【請求項２０】
前記第１のデータ及び前記第２のデータを受信するように構成された前記第１の複数の受信ユニットのうちの前記少なくとも１つは、前記第１のデータ及び前記第２のデータの両方ではない、前記第１のデータ又は前記第２のデータのいずれかを選択的に処理するように更に構成される、請求項１９に記載のシステム。
【請求項２１】
前記少なくとも１つの第１の送信機ユニット及び前記少なくとも１つの第２の送信機ユニットに同期信号を提供することにより、前記少なくとも１つの第１の送信機ユニットを前記少なくとも１つの第２の送信機ユニットと同期させるように構成されたプロセッサを更に含む、請求項１９に記載のシステム。
【請求項２２】
前記第１の複数の受信ユニット及び前記第２の複数の受信ユニットのそれぞれは、１つ又は複数の視覚的特徴の表現、１つ又は複数の音声の生成、匂いの生成、移動、及び１つ又は複数の触覚特徴の表現からなる状態群から選択される状態を表現するように構成される、請求項１９に記載のシステム。
【請求項２３】
前記第１の複数の受信ユニット及び前記第２の複数の受信ユニットのそれぞれは、状態を表現するように動作可能な状態変更構成要素を含み、前記状態変更構成要素は、発光ダイオード、有機発光ダイオード、量子ドット、白熱灯、ネオン灯、液晶ディスプレイ、プラズマディスプレイ、電子ペーパーディスプレイ、エレクトロクロミックディスプレイ、サーモクロミックディスプレイ、電子機械作動光フィルタ、エレクトロルミネセント素子、及び燐光発光素子からなる群から選択される、請求項１９に記載のシステム。
【請求項２４】
前記少なくとも１つの第１の送信機ユニットは、第１の発光素子を含み、前記第１のデータは、前記第１の発光素子によって発せられる第１の光波に符号化され、前記少なくとも１つの第２の送信機ユニットは、第２の発光素子を含み、前記第２のデータは、前記第２の発光素子によって発せられる第２の光波に符号化される、請求項１９に記載のシステム。
【請求項２５】
前記少なくとも１つの第１の送信機は、前記第１の光波を生成するように構成されたレーザを含む、請求項２４に記載のシステム。
【請求項２６】
前記少なくとも１つの第１の送信機ユニットは、第１の波長を有する第１の光波を変調することにより前記第１の複数の受信ユニットのうちの第１の受信ユニットに前記第１のデータを送信し、前記第１の波長と異なる第２の波長を有する第２の光波を変調することにより、前記第１の複数の受信ユニットのうちの第２の受信ユニットに前記第１のデータを送信するように構成される、請求項１９に記載のシステム。
【請求項２７】
前記少なくとも１つの第２の送信機ユニットは、前記第１のエリアが前記第２のエリアに重複する第３のエリアをマスキングするように構成される、請求項１９に記載のシステム。
【発明の詳細な説明】
【技術分野】
【０００１】
背景
[0001]  プロジェクタは、音楽コンサート及び他のライブイベントのライトショー又はアニメーション、企業プレゼンテーション、テレビ会議、ホームシアター等の多種多様な用途に使用されている。通常、ビデオプロジェクタは、ビデオ信号を受信し、レンズシステムを使用して、信号に対応する画像を表面に投影する。ビデオプロジェクタ技術は、ＬＣＤ（液晶ディスプレイ）、ＤＬＰ（デジタル光処理）、ＬＣｏＳ（液晶オンシリコン）、ＬＥＤ（発光ダイオード）、及びレーザダイオードを含む。
【背景技術】
【０００２】
[0002]  遠隔制御器によって送信される赤外線（ＩＲ）信号に応答して、複数のモジュール要素の色を変更することによりライトアニメーションを作成することが更に既知である。当技術分野では、モジュール要素が接続される配信パネルを使用して複数のモジュール要素の状態を変更することも既知である。
【発明の概要】
【課題を解決するための手段】
【０００３】
概要
[0003]  幾つかの実施形態では、分散発現を提供するシステムが提供される。本システムは、複数の受信ユニットと、データを複数の受信ユニットに送信するように構成される少なくとも１つの送信機ユニットであって、データは、複数のターゲットロケーションのそれぞれに対応する状態情報を含み、状態情報は、シンボルシーケンスによりデータにおいて表され、シーケンスは、連続して６個未満の等しいシンボルを含む、少なくとも１つの送信機ユニットとを含み得、複数の受信ユニットのそれぞれ１つは、複数のターゲットロケーションのうちのターゲットロケーションにおけるデータを受信して、データを処理し、データが受信されるターゲットロケーションに対応する状態情報に従って状態を表現するように構成される。
【０００４】
[0004]  幾つかの実施形態では、シンボルシーケンスは、連続して５個未満の等しいシンボルを含む。
【０００５】
[0005]  幾つかの実施形態では、シンボルシーケンスは、連続して４個未満の等しいシンボルを含む。
【０００６】
[0006]  幾つかの実施形態では、少なくとも１つの送信機ユニットは、発光素子を含み、状態情報は、発光素子によって発せられる光波に符号化される。
【０００７】
[0007]  幾つかの実施形態では、発光素子は、光波を生成するように構成されるレーザを含む。
【０００８】
[0008]  幾つかの実施形態では、少なくとも１つの送信機ユニットは、第１の波長を有する第１の光波を変調することにより複数の受信ユニットのうちの第１の受信ユニットに状態情報を送信し、第１の波長と異なる第２の波長を有する第２の光波を変調することにより、複数の受信ユニットのうちの第２の受信ユニットに状態情報を送信するように構成される。
【０００９】
[0009]  幾つかの実施形態では、複数の受信ユニットのそれぞれは、１つ又は複数の視覚的特徴の表現、１つ又は複数の音声の生成、匂いの生成、移動、形状変更、及び１つ又は複数の触覚特徴の表現からなる状態群から選択される状態を表現するように構成される。
【００１０】
[0010]  幾つかの実施形態では、複数の受信ユニットのそれぞれは、状態を表現するように動作可能な状態変更構成要素を含み、状態変更構成要素は、発光ダイオード、有機発光ダイオード、量子ドット、白熱灯、ネオン灯、液晶ディスプレイ、プラズマディスプレイ、電子ペーパーディスプレイ、エレクトロクロミックディスプレイ、サーモクロミックディスプレイ、電子機械作動光フィルタ、エレクトロルミネセント素子、及び燐光発光素子からなる群から選択される。
【００１１】
[0011]  幾つかの実施形態では、複数の受信ユニットのうちの少なくとも１つは、ウェアラブルデバイスに配置される。
【００１２】
[0012]  幾つかの実施形態では、少なくとも１つの送信機ユニットは、第１の時間間隔中、複数の受信ユニットのうちの第１の受信ユニットに状態情報を送信し、第１の時間間隔と異なる第２の時間間隔中、複数の受信ユニットのうちの第２の受信ユニットに状態情報を送信するように構成される。
【００１３】
[0013]  幾つかの実施形態では、分散発現を提供する別のシステムが提供される。本システムは、第１のエリアに配置される第１の複数の受信ユニットと、第１のエリアとは別個の第２のエリアに配置される第２の複数の受信ユニットと、第２の複数の受信ユニットのいずれも第１のデータを受信しないように、第１のデータを第１のエリアに送信するように構成される少なくとも１つの第１の送信機ユニットであって、第１のデータは、複数のターゲットロケーションのそれぞれに対応する第１の状態情報を含む、少なくとも１つの第１の送信機ユニットと、第１の複数の受信ユニットのいずれも第２のデータを受信しないように、第２のデータを第２のエリアに送信するように構成される少なくとも１つの第２の送信機ユニットであって、第２のデータは、複数のターゲットロケーションのそれぞれに対応する第２の状態情報を含む、少なくとも１つの第２の送信機ユニットとを含み得、第１の複数の受信ユニットのそれぞれ１つは、複数のターゲットロケーションのうちの第１のターゲットロケーションにおいて第１のデータを受信し、第１のデータを処理し、第１のデータが受信されたとき、１つの第１の受信ユニットが第１のターゲットロケーションにあった結果として、第１のターゲットロケーションに対応する第１の状態情報に従って状態を表現するように構成され、第２の複数の受信ユニットのそれぞれ１つは、複数のターゲットロケーションのうちの第２のターゲットロケーションにおいて第２のデータを受信し、第２のデータを処理し、第２のデータが受信されたとき、１つの第２の受信ユニットが第２のターゲットロケーションにあった結果として、第２のターゲットロケーションに対応する第２の状態情報に従って状態を表現するように構成される。
【００１４】
[0014]  幾つかの実施形態では、第１のエリアは、第２のエリアを少なくとも部分的に囲む。
【００１５】
[0015]  幾つかの実施形態では、本システムは、少なくとも１つの第１の送信機ユニット及び少なくとも１つの第２の送信機ユニットに同期信号を提供することにより、少なくとも１つの第１の送信機ユニットを少なくとも１つの第２の送信機ユニットと同期させるように構成されるプロセッサを更に含む。
【００１６】
[0016]  幾つかの実施形態では、第１の複数の受信ユニット及び第２の複数の受信ユニットのそれぞれは、１つ又は複数の視覚的特徴の表現、１つ又は複数の音声の生成、匂いの生成、移動、及び１つ又は複数の触覚特徴の表現からなる状態群から選択される状態を表現するように構成される。
【００１７】
[0017]  幾つかの実施形態では、第１の複数の受信ユニット及び第２の複数の受信ユニットのそれぞれは、状態を表現するように動作可能な状態変更構成要素を含み、状態変更構成要素は、発光ダイオード、有機発光ダイオード、量子ドット、白熱灯、ネオン灯、液晶ディスプレイ、プラズマディスプレイ、電子ペーパーディスプレイ、エレクトロクロミックディスプレイ、サーモクロミックディスプレイ、電子機械作動光フィルタ、エレクトロルミネセント素子、及び燐光発光素子からなる群から選択される。
【００１８】
[0018]  幾つかの実施形態では、少なくとも１つの第１の送信機ユニットは、第１の発光素子を含み、第１のデータは、第１の発光素子によって発せられる第１の光波に符号化され、少なくとも１つの第２の送信機ユニットは、第２の発光素子を含み、第２のデータは、第２の発光素子によって発せられる第２の光波に符号化される。
【００１９】
[0019]  幾つかの実施形態では、少なくとも１つの第１の送信機は、第１の光波を生成するように構成されるレーザを含む。
【００２０】
[0020]  幾つかの実施形態では、少なくとも１つの第１の送信機ユニットは、第１の波長を有する第１の光波を変調することにより第１の複数の受信ユニットのうちの第１の受信ユニットに第１のデータを送信し、第１の波長と異なる第２の波長を有する第２の光波を変調することにより、第１の複数の受信ユニットのうちの第２の受信ユニットに第１のデータを送信するように構成される。
【００２１】
[0021]  幾つかの実施形態では、分散発現を提供する更に別のシステムが提供される。本システムは、第１のエリア内に配置される第１の複数の受信ユニットと、第１のエリアに部分的に重複する第２のエリア内に配置される第２の複数の受信ユニットと、第１のデータを第１のエリアに送信するように構成される少なくとも１つの第１の送信機ユニットであって、第１のデータは、複数のターゲットロケーションにそれぞれ対応する第１の状態情報を含む、少なくとも１つの第１の送信機ユニットと、第２のデータを第２のエリアに送信するように構成される少なくとも１つの第２の送信機ユニットであって、第２のデータは、複数のターゲットロケーションにそれぞれ対応する第２の状態情報を含む、少なくとも１つの第２の送信機ユニットとを含み得、幾つかの実施形態では、第１の複数の受信ユニットのそれぞれ１つは、複数のターゲットロケーションの第１のターゲットロケーションにおいて第１のデータを受信し、第１のデータを処理し、第１のデータが受信されたとき、第１の受信ユニットのそれぞれが第１のターゲットロケーションにあったことの結果として、第１のターゲットロケーションに対応する第１の状態情報に従って状態を表現し、第２の複数の受信ユニットのそれぞれ１つは、複数のターゲットロケーションの第２のターゲットロケーションにおいて第２のデータを受信し、第２のデータを処理し、第２のデータが受信されたとき、第２の受信ユニットのそれぞれが第２のターゲットロケーションにあったことの結果として、第２のターゲットロケーションに対応する第２の状態情報に従って状態を表現し、第１の複数の受信ユニットの少なくとも１つは、第１のデータ及び第２のデータの両方を受信するように構成される。
【００２２】
[0022]  幾つかの実施形態では、第１のデータ及び第２のデータを受信するように構成される第１の複数の受信ユニットのうちの少なくとも１つは、第１のデータ及び第２のデータの両方ではない、第１のデータ又は第２のデータのいずれかを選択的に処理するように更に構成される。
【００２３】
[0023]  幾つかの実施形態では、本システムは、少なくとも１つの第１の送信機ユニット及び少なくとも１つの第２の送信機ユニットに同期信号を提供することにより、少なくとも１つの第１の送信機ユニットを少なくとも１つの第２の送信機ユニットと同期させるように構成されるプロセッサを更に含み得る。
【００２４】
[0024]  幾つかの実施形態では、第１の複数の受信ユニット及び第２の複数の受信ユニットのそれぞれは、１つ又は複数の視覚的特徴の表現、１つ又は複数の音声の生成、匂いの生成、移動、及び１つ又は複数の触覚特徴の表現からなる状態群から選択される状態を表現するように構成される。
【００２５】
[0025]  幾つかの実施形態では、第１の複数の受信ユニット及び第２の複数の受信ユニットのそれぞれは、状態を表現するように動作可能な状態変更構成要素を含み、状態変更構成要素は、発光ダイオード、有機発光ダイオード、量子ドット、白熱灯、ネオン灯、液晶ディスプレイ、プラズマディスプレイ、電子ペーパーディスプレイ、エレクトロクロミックディスプレイ、サーモクロミックディスプレイ、電子機械作動光フィルタ、エレクトロルミネセント素子、及び燐光発光素子からなる群から選択される。
【００２６】
[0026]  幾つかの実施形態では、少なくとも１つの第１の送信機ユニットは、第１の発光素子を含み、第１のデータは、第１の発光素子によって発せられる第１の光波に符号化され、少なくとも１つの第２の送信機ユニットは、第２の発光素子を含み、第２のデータは、第２の発光素子によって発せられる第２の光波に符号化される。
【００２７】
[0027]  幾つかの実施形態では、少なくとも１つの第１の送信機は、第１の光波を生成するように構成されるレーザを含む。
【００２８】
[0028]  幾つかの実施形態では、少なくとも１つの第１の送信機ユニットは、第１の波長を有する第１の光波を変調することにより第１の複数の受信ユニットのうちの第１の受信ユニットに第１のデータを送信し、第１の波長と異なる第２の波長を有する第２の光波を変調することにより、第１の複数の受信ユニットのうちの第２の受信ユニットに第１のデータを送信するように構成される。
【００２９】
[0029]  幾つかの実施形態では、少なくとも１つの第２の送信機ユニットは、第１のエリアが第２のエリアに重複する第３のエリアをマスキングするように構成される。
【００３０】
図面の簡単な説明
[0030]  本願の様々な態様及び実施形態について以下の図を参照して説明する。図が必ずしも一定の縮尺で描かれていないことを理解されたい。複数の図に現れるアイテムは、そのアイテムが現れる全ての図において同じ参照番号で示される。
【図面の簡単な説明】
【００３１】
【図１】[0031]幾つかの非限定的な実施形態による投影システムを示す概略図である。
【図２】[0032]幾つかの非限定的な実施形態によるデータセットを示す概略図である。
【図３】[0033]幾つかの非限定的な実施形態によるプロジェクタを示す概略図である。
【図４】[0034]幾つかの非限定的な実施形態による例示的なビットシーケンスを示す概略図である。
【図５】[0035]幾つかの非限定的な実施形態によるマイクロミラーアレイを含むプロジェクタを示す概略図である。
【図６】[0036]幾つかの非限定的な実施形態による受信ユニットを示す概略図である。
【図７Ａ】[0037]幾つかの非限定的な実施形態による、非重複エリアをカバーする信号を投影する複数のプロジェクタを示す概略図である。
【図７Ｂ】[0038]幾つかの非限定的な実施形態による障害物の存在する場合の複数のプロジェクタを示す概略図である。
【図８】[0039]幾つかの非限定的な実施形態による、重複エリアをカバーする信号を投影する複数のプロジェクタを示す概略図である。
【図９】[0040]幾つかの非限定的な実施形態による、同期シーケンスを複数のプロジェクタに提供するように構成されるプロセッサを示す概略図である。
【図１０】[0041]幾つかの非限定的な実施形態による分散発現を提供する方法を示すフローチャートである。
【図１１】[0042]幾つかの非限定的な実施形態による、分散発現を提供する別の方法を示すフローチャートである。
【図１２】[0043]幾つかの非限定的な実施形態によるコンピュータシステムを示すブロック図である。
【発明を実施するための形態】
【００３２】
詳細な説明
[0044]  本譲受人は、環境における分散発現を生成する従来のシステムが改善可能なことを理解した。環境において分散発現を生成する従来のシステムの一例は、本願と同じ譲受人に譲渡されたＰＣＴ出願第ＰＣＴ／ＣＡ２０１１０００７００号（以下、「‘７００号出願」）に開示されており、このＰＣＴ出願は全体的に、参照により本明細書に援用される。‘７００号出願に開示されているシステムの代表的な一実施態様は、データ生成器、１つ又は複数のプロジェクタ、及び複数の受信ユニットを含む。以下に更に詳細に開示するように、データ生成器は、分散発現を生成するためのデータストリームを生成するように構成し得る。幾つかの実施形態では、データ生成器は、１つ又は複数のコンピュータを介して実施し得る。プロジェクタは、データ生成器によって生成されたデータに基づいて電磁信号を送信し得る。そのような信号は、プロジェクタによってターゲットとされる異なるロケーションにわたり様々であり得、幾つかの実施形態では、赤外線（ＩＲ）波を含み得る。受信ユニットは、任意の適切な様式において環境内で分散し得（例えば、各受信ユニットは、環境内で催されているイベントの参加者によって保持又は他の方法で運ばれ得る）、環境内で固定されてもよく、又は移動し得る。環境内の異なるエリアに配置された受信ユニットは、異なる信号を受信し得、各受信ユニットは、信号の受信に応答して、状態変更を発現させ得る。状態変更は、任意の適する物理的現象を表現することを含み得る。例えば、受信ユニットは、光の生成、色の変更、音声の発生、形状の変更、匂いの放射、及び／又は任意の他の適した物理的特徴を含む状態変更を発現し得る。環境内に分散した複数の受信ユニットに信号を送信して、受信ユニットに状態変更を発現させることにより、‘７００号出願に開示されるシステムの幾つかの代表的な実施態様は、環境内に分散発現（distributed manifestation）を生成し得、発現は、変わる色の表示、ビデオ、又は環境内の異なるエリアでの光の存在若しくは不在等の視覚的アニメーションを含み得る。
【００３３】
[0045]  環境は、任意の適する物理的空間を含み得る。そのような環境の例は、公共空間、建物、映画館、ホール、美術館、野原、森、アリーナ、スタジアム、街の通り、海、又は空を含む。環境は、物理的構造で区切られる必要がなく、投影システムによって生成される信号の伝播範囲によってのみ制限され得る。
【００３４】
[0046]  分散発現が生成されている間、任意の多くのタイプのイベントを環境において催し得る。用語「イベント」が本明細書では、主催者と参加者との間等のエンティティ間の任意の適するタイプの相互作用を指すことを理解されたい。主催者は、任意の適するエンティティ又は組織を含み得る。したがって、本明細書に記載される実施形態の多くは、コンサート、フェスティバル、スポーツイベント等であるイベントに関連するが、本発明が、多数の参加者が集まるイベントに限定されず、又は主催者と参加者との間のいかなる特定のタイプの相互作用にも限定されないことを理解されたい。例えば、イベントは、主催者である商業エンティティと、主催者の小売りロケーションの１つを訪れた参加顧客との間の商業的相互作用、比較的少数の参加訪問者向けの主催者美術館によって組織された展覧会、非商業的相互作用（例えば、主催者である慈善者団体によって組織されたチャリティイベント、主催者である教育機関によって組織される教育イベント等）、及び／又は主催者エンティティが１人又は複数の参加者と相互作用する任意の他の適する出来事を含み得る。分散発現がイベントの状況外で生成し得ることも理解されたい。例えば、幾つかの実施形態では、分散発現は、可視光（例えば、いわゆる「Ｌｉ−Ｆｉ」システムの一部として）又は他の光学無線信号を介して情報を１つ又は複数の受信ユニットを送信する１つ又は複数の投影要素を含むシステムを使用して、非イベント設定で生成し得る。情報は、光学無線信号を介して送信されるように符号化し得、所与の環境内で装着、輸送、又は搭載し得る１つ又は複数の受信ユニットによって受信され処理し得る。
【００３５】
[0047]  分散発現を生成する従来のシステムに対する１つの改善は、複数のプロジェクタを使用して、信号を映画館又はアリーナ等の環境内の異なるエリアに送信することに関する。例えば、本発明の幾つかの実施形態は、複数のプロジェクタを使用して、空間的に連続した分散発現を提供することに関する。例えば、第１のプロジェクタは信号を第１のエリアに提供し得、第２のプロジェクタは、第１のエリアに隣接する第２のエリアに信号を提供し得る。第１及び第２のプロジェクタによる信号の投影を調整することにより、幾つかの実施形態は、空間的に連続した分散発現を生成し得、それにより、第１及び／又は第２のエリアの方向を見ている参加者は、複数のエリアにわたり連続して経験を知覚し得る。さらに、本発明の幾つかの実施形態は、複数のプロジェクタを利用して、１台のプロジェクタの使用では到達できないことがある環境内のエリアの利用を可能にし得る。非限定的な一例では、環境内のエリアに対する１台のプロジェクタの視線が、障害物（例えば、柱）で遮られる場合、そのエリアへの遮られない見通しポイントを有する第２のプロジェクタは、信号をそのエリアに向けて送信して、そのエリア内外の観客メンバの経験を改善し得る。
【００３６】
[0048]  環境において分散発現を生成する従来のシステムの別の改善は、環境内の受信ユニットに送信される信号の特性に関する。これに関して、特定の閾値よりも大きい、光学搬送波を含む幾つかの連続パルスを有する電磁波が、そのような電磁波を検出するために受信ユニットによって使用されるセンサを飽和させ得ることを譲受人は理解した。例えば、特定の数の連続した論理１、例えば、６つ以上の連続した論理１を示し、したがって、６つ以上の連続パルスの赤外線搬送波を含むデータストリームは、センサを飽和させ得、及び／又はセンサによって雑音として見なされ得る。その結果、そのようなデータストリームは、受信ユニットが意図されるように状態変更を発現することを妨げ得る。
【００３７】
[0049]  したがって、本発明の幾つかの実施形態では、プロジェクタによって送信される電磁波は、センサの飽和を回避するように設計された符号化方式を使用して符号化し得る。例えば、符号化方式は、受信ユニットのセンサがダイナミックレンジ内で動作できるようにするよう設計し得る。例えば、符号化方式は、３よりも少数、４よりも少数、５よりも少数、又は６よりも少数等の特定の数よりも少数の論理０又は論理１を含むビットシーケンスにデータストリームをマッピングし得る。
【００３８】
[0050]  環境内で分散発現を生成する従来のシステムへのこれら及び他の改善について、以下のセクションにおいて詳細に説明する。
【００３９】
Ｉ．環境において分散発現を生成するシステム構成要素
[0051]  図１を参照して、幾つかの非限定的な実施形態による代表的な投影システム１０を示す。投影システム１０は、データ生成器１４、プロジェクタ２２、及び複数の受信ユニット３２を含み得る。プロジェクタ１４は、本明細書では、「送信機ユニット」又は単に「送信機」と呼ばれることもある。幾つかの実施形態では、複数の受信ユニット３２にＬＥＤ又はＬＣＤが提供され、複数の受信ユニット３２は集合的に、視覚的表示等の発現を形成するように構成し得る。図１に示される例では、受信ユニットは、明るいスタート（luminous start）の形状を有する視覚的表示を提供するように構成される。
【００４０】
[0052]  データ生成器１４は、コンピュータ、データサーバ、又はメモリ６０及びプロセッサ６２が提供された任意のタイプのデバイスであり得、データを記憶し、プロジェクタ２２に送信することが可能である。動作に際して、データ生成器１４は複数のデータセット１６を生成し得る。データ生成器１４によって生成されるデータセットは、環境内の特定のターゲットロケーションに配置された受信ユニット３２によって実行されるべきリアルタイム状態変更、キュー、又は状態変更のシーケンスを表し得る。図２を参照すると、各データセット１６は少なくとも、空間座標データ２０が関連付けられた状態データ１８を含み得る。空間座標データ２０は、環境内のエリアの指定に使用し得る。データセット１６は、続く情報を識別する情報を含むヘッダ、特定のプロジェクタに関連付けられた識別番号、追加のデータ及び／又は命令を有するバイトブロック、並びに送信されたデータの正確性及びステータスを確認するためのトレーラ等の更なる情報を含み得る。データセットのストリームは、多くのデータ構造を含むアレイ、テーブル、キュー、又はマトリックスの形態をとることができる。
【００４１】
[0053]  本明細書で使用される場合、用語「状態」は、受信ユニットによって表示又は表現することができるモード又は状況を指す。例えば、状態は、色、強度レベル、及び／又は不透明度等の視覚的発現の形態をとることができる。状態は、音声、匂い、又は形状に関することもできる。さらに、状態は、コンピュータ可読媒体に記憶されたデータの状態等の論理状況に関連し得る。状態データは、時間の経過に伴う一連の状態変更を反映し得る。例えば、状態データは、ビデオストリームで表すことができ、受信ユニット３２によって表示される分散発現はビデオであり、したがって、各受信ユニット３２は、複数のユニット３２によって形成される巨大な「スクリーン」内のピクセルになる。
【００４２】
[0054]  プロジェクタ２２が複数のユニット内の特定の受信ユニット３２をアドレス指定するために、状態データ１８に特定の座標データ２０を関連付け得る。空間座標という用語は、データアレイ内の位置、テーブル内のロケーション、マトリックスアドレッサ内のスイッチの位置、物理的ロケーション等の任意の多くの形態をとり得る座標を指す。座標の相対位置を表す任意の適する様式を利用し得る。
【００４３】
[0055]  再び図１を参照すると、プロジェクタ２２は、電磁波２６等の電磁波を使用してデータを受信ユニットに送信し得る。幾つかの実施形態では、電磁波は、電磁スペクトルの赤外線（ＩＲ）部分、可視部分、又は紫外線（ＵＶ）部分内の光波を含み得る。受信した状態データに基づいて、受信ユニットは状態変更を発現し得る。例えば、ターゲットエリア３０内にある受信ユニット３２ａは、ＬＥＤ等の光をオンにし得、一方、ターゲットエリア３０外の受信ユニット３２ｂは、ＬＥＤをオフ状態のまま維持し得る。
【００４４】
[0056]  プロジェクタ２２は、信号生成器モジュール２４及び投影モジュール２８を含み得る。信号生成器モジュール２４は、データ生成器１４から得られたデータで電磁波を符号化する回路を含み得る。更に後述するように、プロジェクタ２２は、幾つかの実施形態では、１つ又は複数の変調器を含み得る。投影モジュール２８は、環境内のターゲットエリアの方向において、信号生成器２４から得られた電磁波を送信する装置を含み得る。例えば、光波が使用される場合、投影モジュール２８は１つ又は複数のレンズを含み得る。
【００４５】
[0057]  本明細書に記載されるタイプのプロジェクタは、光波等の電磁波を生成し、データ生成器１４から得られたデータを電磁波に符号化する回路を含み得る。プロジェクタは、電磁波をターゲットエリアの方向に送信するように更に構成し得る。そのようなターゲットエリアは、サブエリアに分割し得る。各サブエリア内に、１つ又は複数の受信ユニットを配置し得る。幾つかの実施形態では、投影システムは、サブエリア内にある受信ユニットが、プロジェクタから同じデータを受信するように構成し得る。したがって、プロジェクタは、電磁波の部分を空間的に変調するように構成し得る。幾つかの実施形態では、電磁波の各変調部分は、サブエリアにマッピングし得る。このようにして、各サブエリアは、分散発現の「ピクセル」として機能し得る。
【００４６】
[0058]  図３は、幾つかの非限定的な実施形態によるプロジェクタを示す概略図である。プロジェクタ２２は、発光素子４０Ａ、４０Ｂ、及び４０Ｃ、搬送波変調器４２Ａ、４２Ｂ、及び４２Ｃ、並びに空間変調器アレイ５０を含み得、これらは集合的に信号生成器モジュール２４として機能し得る。プロジェクタ２２は、有線接続を通して又は無線でデータ生成器１４と通信し得る。図３は３つの発光素子を示すが、本発明がこれに関して限定されず、任意の適する数の発光素子が使用可能なことを理解されたい。発光素子は、ＬＥＤ、レーザ、又は任意の他の適するタイプの発光器を使用して実施し得る。幾つかの実施形態では、発光素子は、同じ波長を有する光波を提供するように構成し得る。他の実施形態では、発光素子は、異なる波長を有する光波を提供するように構成し得る。幾つかの実施形態では、異なる波長を有する光学信号を使用して、波長分割多重化（ＷＤＭ）を提供して、ターゲットエリアの異なるサブエリアをアドレス指定し得る。例えば、第１のサブセリア内にある受信ユニットは、第１の波長を有する光学信号を検知するように構成し得、第２のサブエリア内にある受信ユニットは、第２の波長を有する光学信号を検知するように構成し得る。
【００４７】
[0059]  発光素子によって生成された光波は、搬送波変調器４２Ａ、４２Ｂ、及び４２Ｃを使用して変調し得る。搬送波変調器は、幾つかの実施形態では１ＫＨｚ〜５０ＧＨｚ、幾つかの実施形態では１０ＫＨｚ〜１００ＭＨｚ、幾つかの実施形態では３０ＫＨｚ〜５０ＫＨｚ、又は任意の他の適する値間の値である変調搬送波を提供し得る。他の範囲も可能である。幾つかの実施形態では、ターゲットエリアの異なるサブエリアをアドレス指定するために、異なる搬送周波数を使用して、周波数分割多重化（ＦＤＭ）を提供し得る。例えば、第１のサブエリア内にある受信ユニットは、第１の搬送周波数を用いて変調された光学信号を検知するように構成し得、第２のサブエリア内にある受信ユニットは、第２の搬送周波数を用いて変調された光学信号を検知するように構成し得る。
【００４８】
[0060]  光波は、空間変調器アレイ５０を使用して、データ生成器１４によって提供されたデータで変調し得る。空間変調器アレイは、対応する状態データと共に空間座標データに従って光波の異なる部分を符号化し得る。このように、空間変調器アレイの個々の変調器は、ターゲットエリアの１つのサブエリアにマッピングし得る。
【００４９】
[0061]  幾つかの実施形態による、空間変調器アレイ５０の変調器を使用して変調された光学信号の非限定的な例を図４に示す。図４は、デジタルシーケンス「１０１００１」を表す６ビットのシーケンスを示す。デジタルシーケンスは、状態データの一部を表し得る。示されるように、光学信号は、搬送周波数の逆数に等しい周期ＴＣを有する搬送周波数を用いて変調し得る。例えば、搬送周波数が３８ＫＨｚに等しい場合、ＴＣは１／３８０００＝２６．３１５μ秒に等しいことができる。ビット持続時間ＴＢは、所望のビデオフレームデータを提供するように構成し得る。例えば、赤緑青（ＲＧＢ）カラーモデルを用いて６０フレーム／秒を提供するには、各フレームが２４ビット（色ごとに８ビット）で表される場合、６０×２４＝１４４０ビット／秒を使用し得る。この場合、ＴＢは１／１４４０＝６９４．４４μ秒に等しいことができる。
【００５０】
ＩＩ．信号符号化技法及び構成要素
[0062]  幾つかの実施形態では、本明細書に記載されるタイプの投影システムは、受信ユニットのセンサがダイナミックレンジ内で動作できるようにするよう光学信号を符号化するように構成し得る。非限定的な一例では、赤緑青（ＲＧＢ）色表現を使用して、環境において表示すべき色を再現し得る。この色表現によれば、完全な組の色は、原色である赤、緑、及び青を適宜、様々に組み合わせることによって再現し得る。例えば、原色ごとに８ビットを使用して白色を再現するには、２４個の連続した論理１（赤に８個の連続した論理１、緑に８個の連続した論理１、及び青に８個の連続した論理１）のシーケンスを使用し得る。論理１は、対応するパルス内に光学搬送波を含むため、そのように長い連続論理１シーケンスを有することは、センサを飽和させる恐れがあり、及び／又はセンサに論理１の少なくとも一部を雑音として認識させる恐れがある。
【００５１】
[0063]  幾つかの実施形態では、検出エラーを防ぐために、連続論理１の数を低減するように設計された符号化方式を使用し得る。この符号化方式は、予め定義された数よりも少数、例えば、幾つかの実施形態では６個未満、幾つかの実施形態では５個未満、幾つかの実施形態では４個未満、又は幾つかの実施形態では３個未満の連続論理１を含むビットシーケンスを使用して色を再現するように設計し得る。このようにして、光学搬送波を含む連続パルスの数を制限し得、センサによって生じるビットエラーを回避し得る。
【００５２】
[0064]  他方、連続論理０の長いシーケンスを有すると、センサを雑音の影響を過度に受けやすくする恐れがある。これに関して、論理０が送信されるとき光学搬送波がないことにより、連続論理０の長いシーケンスは、センサに、ダイナミックレンジの下限にあまりに近いところで動作させ得、及び／又は無効と見なされ得る。したがって、本発明の幾つかの実施形態では、歪みを回避するために、連続０の数を制限するように設計された符号化方式を使用し得る。この符号化方式は、予め定義された数よりも少数、例えば、幾つかの実施形態では６個未満、幾つかの実施形態では５個未満、幾つかの実施形態では４個未満、又は幾つかの実施形態では３個未満の連続論理０を含むビットシーケンスを使用して色を再現するように設計し得る。
【００５３】
[0065]  ＲＧＢが単に例示的な色方式であり、色を再現する他の方式を使用することも可能であることを理解されたい。図４に示されるビットシーケンスは、３個未満の連続論理０及び３個未満の連続論理１を含む。連続論理１及び連続論理０の数を減らすことにより、受信ユニットを飽和レベル未満且つダイナミックレンジの下限の上に維持し得る。
【００５４】
[0066]  再び図３を参照すると、変調された光波は、レンズシステム６６を使用してターゲットエリアの方向に送信し得る。レンズシステム６６は、１つ又は複数の光学レンズを含み得、投影モジュール２８として機能し得る。光学レンズは、所望の波長において限られた光学損失を示す材料を使用して作製し得る。
【００５５】
[0067]  空間変調器アレイ５０は、マイクロミラーアレイを使用して実施し得る。マイクロミラーアレイの個々のマイクロミラーは、入力光波の異なる部分を変調するように構成し得る。図５は、幾つかの非限定的な実施形態による、マイクロミラーアレイを含むプロジェクタを示す概略図である。図５のプロジェクタは、発光素子４０Ａ、レンズシステム４４、マイクロミラーアレイ５２、及びレンズシステム６６を含み得る。プロジェクタは、信号をターゲットエリア１００の方向に送信するように構成し得る。図３に関連して説明したように、発光素子４０Ａは、光波を生成するように構成し得る。光波は、搬送波変調器（図５に示されず）を使用して変調し得、レンズシステム４４を使用してマイクロミラーアレイ５２に提供し得る。レンズシステム４４は、１つ又は複数のレンズを含み得、略均一の電力分布（例えば、マイクロミラーアレイの表面にわたり１０％未満のばらつきを有する）でマイクロミラーアレイを照明するように構成し得る。マイクロミラーアレイ５２は、空間変調器アレイ５０として機能し得、複数のマイクロミラー５２Ａ、５２Ｂ等を含み得る。マイクロミラーアレイは、所与の時間に、少なくとも２つの可能な状態の１つを有するように構成し得る。少なくとも２つの可能な状態は、反射状態及び透過状態を含み得る。反射状態では、マイクロミラーは、入力光波の対応する空間部分を遮断し得る。透過状態では、マイクロミラーは、入力光波の対応する空間部分を透過させ得る。マイクロミラーは、例えば、プロセッサ６２を使用して互いに独立して制御し得る。プロセッサは、空間座標データ及び対応する状態データに基づいてマイクロミラーを制御するように構成し得る。
【００５６】
[0068]  マイクロミラーアレイ５２を使用して変調された光波は、レンズシステム６６を使用してターゲットエリア１００の方向に送信し得る。幾つかの実施形態では、レンズシステム６６は、ターゲットエリア１００のサブエリアにマイクロミラーをマッピングするように構成し得る。例えば、マイクロミラー５２Ａはサブエリア１０１Ａにマッピングし得、マイクロミラー５２Ｂはサブエリア１０１Ｂにマッピングし得る。受信ユニット３２は、各サブエリアが０個、１個、又は複数の受信ユニット３２を含み得るように、ターゲットエリア１００に分散し得る。例えば、サブエリア１０１Ａは２個の受信ユニット３２を含み得る。サブエリア１０１Ａ内にある受信ユニットは、マイクロミラー５２Ａを通して得られた変調光波を受信し得る。幾つかの実施形態では、マイクロミラーアレイの１つのマイクロミラーは、ターゲットエリア１００の１つのサブエリアにマッピングし得る。しかしながら、本発明は１対１のマッピングに必ずしも限定されない。したがって、幾つかの実施形態では、１対多又は多対１の構成を利用し得る。ターゲットエリア１００は矩形を有するものとして示されているが、任意の適する形状を使用し得る。ターゲットエリアの形状は、レンズシステム６６のアパーチャの形状を適宜設計することによって決定し得る。
【００５７】
[0069]  本明細書に記載されるタイプの受信ユニットは、プロジェクタによって送信された信号を受信し復号化するように構成される回路を含み得る。そのような回路は、状態変更構成要素に結合し得る。状態変更構成要素は、データ生成器１４によって生成された状態データに応答し得る。限定ではなく例として、状態変更構成要素は、発光ダイオード（ＬＥＤ）、有機発光ダイオード、量子ドット、白熱灯、ネオン灯、液晶ディスプレイ、プラズマディスプレイ、電子ペーパーディスプレイ、エレクトロクロミックディスプレイ、サーモクロミックディスプレイ、電子機械作動光フィルタ、エレクトロルミネセント素子、又は燐光発光素子を含み得る。幾つかの実施形態では、受信ユニットは、視覚的特徴、生成される音声、生成される匂い、移動、又は触覚特徴等の状態を表現するように構成し得る。他の実施形態では、データ生成器１４によって生成された状態データに応答して、受信ユニットは、感覚発現を付随して又は付随せずに、メモリに記憶されたデータを更新することによって状態を表現し得る。幾つかの実施形態では、受信ユニットは、イベントの参加者に装着又は保持され得るウェアラブルデバイスに配置し得る。ウェアラブルデバイスの例としては、リストバンド、帽子、スマートグラス等が挙げられる。このようにして、受信ユニットを人に結び付け得る。したがって、参加者があるターゲットエリアのサブエリアから別のサブエリアに移動する場合、受信ユニットは、新しいサブエリアに関連付けられたデータに応答するようになり得る。幾つかの実施形態では、受信ユニット３２は、スマートフォン、デジタルメディアプレーヤ、ウォッチ、又は任意の他の適するポータブルデバイスに配置し得る。
【００５８】
[0070]  図６は、幾つかの非限定的な実施形態による受信ユニットを示す概略図である。受信ユニット３２は、センサ３４、電源６４、フィルタ７４、復調器７６、増幅器７８、状態変更構成要素５４、送信機５６、又はそれらの任意の適する組合せを含み得る。受信ユニットは、プロジェクタ２２によって送信された電磁波を検知するように構成されるセンサを含み得る。例えば、センサ３４は、光検出器又はアバランシェフォトダイオード等の光学センサを含み得る。フィルタ７４は、受信した信号を濾波して、雑音を低減するように構成し得る。復調器７６は、搬送周波数を使用して変調された信号を復調するよう構成し得る。増幅器７８は、受信した信号の電力を増幅するように構成し得る。状態変更構成要素５４は、電磁波２６を通して受信した状態データに基づいて、輝度又は色等の状態を変更するように構成し得る。幾つかの実施形態では、受信ユニット３２はスマートフォンであり得、状態変更構成要素はスマートフォンの画面を含み得る。電源６４は、受信ユニット３２の幾つか又は全ての構成要素に給電するように構成し得る。電源は、幾つかの実施形態では、充電式電池を含み得る。送信機５６は、フィードバックをプロジェクタに提供するのに使用し得る。例えば、送信機５６は、ジオロケーション情報を提供するように構成し得る。受信ユニット３２の構成要素が受信信号に関連するデータ路に沿って現れる順序は、図６に示される実施形態に限定されない。例えば、増幅器７８は、信号データ路に沿って、センサ３４とフィルタ７４との間に位置し得、一方、フィルタ７４は、増幅器７８と復調器７６との間に位置し得る。任意の適する配置を使用することができる。
【００５９】
ＩＩＩ．投影技法及び構成要素
[0071]  幾つかの状況では、本明細書に記載されるタイプの複数のプロジェクタを使用して、分散発現を生成することが望ましいことがある。例えば、これは、１台のプロジェクタで全体をカバーするには大きすぎる環境での場合であり得る。代替又は追加として、複数のプロジェクタの使用は、障害物によって遮られるエリアをカバーするのに有用であり得る。そのような障害物が存在する場合、１台のプロジェクタは、ギャップを有する発現を生成する恐れがある。しかしながら、複数のプロジェクタを使用することにより、そのようなギャップをなくし得る。
【００６０】
[0072]  幾つかの実施形態では、複数のプロジェクタは、各非重複エリアをカバーするように構成し得る。この構成は、受信ユニットによって使用される回路を簡易化し得る。したがって、この構成では、受信ユニットは、所与の時間に、１つのプロジェクタによって送信された電磁波のみを受信し得る。したがって、受信ユニットは、どの状態データを処理すべきかを判断する回路を必要としない。他方、重複しないターゲットエリアを有すると、いずれのプロジェクタにもカバーされない環境の領域が生じる恐れがある。図７Ａは、幾つかの非限定的な実施形態による、非重複エリアをカバーする信号を投影している複数のプロジェクタを示す概略図である。投影システム１７０は、本明細書に記載されるタイプの複数のプロジェクタを含み得る。プロジェクタ２５、２７、及び２９は、図３及び図５に関連して説明したプロジェクタを使用して実施し得る。プロジェクタ２５はターゲットエリア１０５をカバーするように構成し得、プロジェクタ２７はターゲットエリア１０７をカバーするように構成し得、プロジェクタ２９はターゲットエリア１０９をカバーするように構成し得る。示されるように、ターゲットエリア１０５、１０７、及び１０９は重複しない。ターゲットエリアは、幾つかの実施形態では２５ｍ未満、幾つかの実施形態では１０ｍ未満、幾つかの実施形態では１ｍ未満、又は任意の他の適する値未満である距離だけ隔てられ得る。ターゲットエリアは重複しないため、受信ユニット３３等の受信ユニットは、いずれのプロジェクタによってもカバーされないエリアに位置し得る。
【００６１】
[0073]  １台のプロジェクタの使用では到達できないであろうエリアをカバーするために、複数のプロジェクタを使用し得る。図７Ｂは、障害物が存在する状況で動作している投影システムを示す。示されるように、障害物７２は、ターゲットエリア１１５に関してプロジェクタ２５の視線を部分的に遮断し得、したがって、本影７０を生み出し得る。本影７０に対応する領域内にある受信ユニットは、プロジェクタ２５によって送信された電磁波を受信しないことがある。本影内にある受信ユニットに到達するために、第２のプロジェクタを使用し得る。例えば、プロジェクタ２３を使用して、本影７０と少なくとも部分的に重複し得るターゲットエリア１１３の方向に電磁波を向け得る。このようにして、本影内にある受信ユニットは、プロジェクタ２３から電磁波を受信し得、分散発現のギャップを制限し得る。
【００６２】
[0074]  他の実施形態では、異なるプロジェクタに対応するターゲットエリアは、少なくとも部分的に重複し得る。互いに重複するターゲットエリアを有することにより、より長い距離をカバーする能力を提供し得る。したがって、受信ユニットは、複数のプロジェクタから複数の電磁波を受信し得、したがって、受信する電力はより大きな電力であり得る。その結果、投影システムは、プロジェクタから更に離れた受信ユニットに到達することが可能であり得る。互いに重複するターゲットエリアを有することによってもまた、ギャップの存在を制限し得る。このようにして、カバーされない受信ユニットの数を制限し得る。図８は、幾つかの非限定的な実施形態による、重複エリアをカバーする信号を投影している複数のプロジェクタを示す概略図である。示されるように、プロジェクタ２３はターゲットエリア１１３をカバーし得、プロジェクタ２５はターゲットエリア１１５をカバーし得る。ターゲットエリア１１３及び１１５は、重複エリア１１６を有し得る。重複エリア１１６内にある受信ユニット３３は、プロジェクタ２３及び２５による電磁波を受信し得る。
【００６３】
[0075]  幾つかの実施形態では、受信ユニット３３は、一方のプロジェクタによって提供された状態データを使用し得、他方のプロジェクタによって提供された状態データを無視し得る。受信ユニット３３は、対応する電磁波の波長、対応する電磁波の搬送周波数、又は対応する電磁波が受信されたタイムスロットにより、２つのデータセットを区別することが可能であり得る。例えば、受信ユニット３３は、環境の中心付近等、環境内の特定のロケーションに位置するプロジェクタによって送信された状態データのみを使用するように構成し得る。そのようなプロジェクタがプロジェクタ２５であると仮定すると、受信ユニット３３は、例えば、フィルタを使用して、プロジェクタ２５が送信する波長又は周波数を認識し、他の波長又は周波数において送信された状態データを濾波して除外するように構成し得る。フィルタは、所望の波長又は周波数が検出され、予め定義される範囲外の波長又は周波数は減衰されるような応答を有し得る。１つの電磁波以外の全ての電磁波を無視することは、プロジェクタが互いと同期されていない場合、有用であり得る。そのような状況では、同期外の信号の混合を避けるために、１つのみの電磁波が検知され、その他の電磁波は濾波して除外される。幾つかの実施形態では、プロジェクタ２３等の１つ又は複数のプロジェクタは、対応するターゲットエリアからの重複エリア１１６をマスキングして、受信ユニット３３への信号の送信を避けるように構成し得る。同時に、プロジェクタ２５等の別のプロジェクタは、重複エリア１１６の方向に信号を送信し得る。このようにして、重複エリア１１６内の曖昧さを制限し得る。非限定的な一例では、重複エリア１１６のマスキングは、重複エリア１１６に対応するマイクロミラーを遮光状態（例えば、反射状態）にすることによって実施し得る。
【００６４】
[0076]  他の実施形態では、受信ユニット３３は、電磁波を結合し得、結合された状態データに基づいて状態を変更し得る。例えば、電磁波は、結果として生成される信号の電力が、受信される電磁波の電力の和に比例するように互いに合算し得る。そのような状況では、受信ユニット３３は、プロジェクタ２３及び２５によって送信された電磁波を受信し得、センサ３４を使用して、受信した電磁幅の電力の和に比例する電力を有する信号を生成し得る。センサにより生成される信号の電力波、１つのみの電磁波が受信される場合と比較して大きいため、電磁波を検出する能力は効果的に増大し得る。そのような構成は、プロジェクタから離れた環境のエリアに到達するのに特に有用であり得る。電磁波は、空間を伝播するにつれて発散するため、そのようなエリアにある受信ユニットは、信号を検出するのに十分な電力を受信しないことがある。しかしながら、複数のプロジェクタによって送信された電磁波を合算することにより、受信ユニットにより検出される総電力を増大し得、ひいては、離れたところからの信号を検出する受信ユニットの能力が増大し得る。
【００６５】
[0077]  図７Ａ、図７Ｂ、及び図８に関連して説明したように複数のプロジェクタが使用される場合、分散発現における一貫性を保証するために、送信信号の同期を実行し得る。同期を提供するために、プロセッサを使用し得る。図９は、幾つかの非限定的な実施形態による、同期シーケンスを複数のプロジェクタに提供するように構成されたプロセッサ１２０を示す概略図である。幾つかの実施形態では、プロセッサ１２０は、図１のプロセッサ６２として機能し得る。プロセッサ１２０は、有線接続を介して又は無線で、プロジェクタ１０３、１０５、及び１０７等の複数のプロジェクタに接続し得る。幾つかの実施形態では、同期は、プロジェクタによって送信されるデータストリームが互いと一貫するようなビットレベルで実行し得る。そのような実施形態では、プロセッサ１２０は、同期シーケンスを個々のプロジェクタに送信するように構成し得る。例えば、プロセッサ１２０は、同期シーケンス１２３をプロジェクタ１０３に送信し、同期シーケンス１２５をプロジェクタ１０５に送信し、同期シーケンス１２７をプロジェクタ１０７に送信するように構成し得る。同期シーケンスは、幾つかの実施形態では、互いに等しいシーケンスであり得る。幾つかの実施形態では、個々のプロジェクタと対応するターゲットエリアとの間に存在する距離差を補償するように同期シーケンスを調整し得るタイミング。同期シーケンスの受信に応答して、プロジェクタは状態データの送信を開始し得る。同期シーケンスは、８ビット、１６ビット、２４ビット等の任意の適する数のビットを含み得る。変調が複数のプロジェクタのそれぞれによって独立して実行される場合、様々な光学搬送波が適宜同期されないとき、検出エラーが生じ得ることを本譲受人は理解した。幾つかの実施形態では、そのような検出エラーを回避するために、プロジェクタが各光学搬送波を変調する時間を同期し得る。例えば、プロセッサ１２０は、プロジェクタが概ね同時に（例えば、１ミリ秒以内に）各光学搬送波の変調をトリガーする搬送波同期シーケンスを提供し得る。このようにして、プロジェクタは、互いに一貫する変調光学搬送波を提供し得る。
【００６６】
[0078]  本発明の一態様は、分散発現を生成する方法に関する。そのような方法を示すフローチャートを図１０に提供する。方法１１００は、動作１１１２において開始し得、動作１１１２において、複数のデータセットが生成される。データセットは、状態データ及び対応する空間座標データを含み得る。空間座標データは、対応する状態データを送信すべき方向におけるターゲットエリア内のロケーションを指定し得る。状態データは、状態変更構成要素が制御される様式を指定し得る。例えば、状態データは、ウォッチ又はスマートフォン等の受信ユニットの表示画面の輝度を指定し得る。
【００６７】
[0079]  動作１１１４において、動作１１１２において生成されたデータセットは、連続した等しいシンボルの数を制限するように符号化し得る。例えば、連続論理１又は論理０の数を６個未満に制限する符号化方式を使用し得る。連続した等しいシンボルの数を制限することにより、受信ユニットのセンサがダイナミックレンジ内で動作できるようにし得る。
【００６８】
[0080]  動作１１１６において、電磁波を生成し得る。例えば、レーザ又はＬＥＤを使用して光波を生成し得る。電磁波は、データセットを使用して変調し得る。幾つかの実施形態では、電磁波の部分は、対応する空間座標データに基づいて異なる状態データで変調し得る。
【００６９】
[0081]  動作１１１８において、変調された電磁波は、投影モジュールを使用して、ターゲットエリアの方向に投影し得る。幾つかの実施形態では、電磁波の異なる部分は、ターゲットエリア内の異なるサブエリアの方向に向けられ得る。
【００７０】
[0082]  動作１１２０において、変調された電磁波は、ターゲットエリア内に位置する受信ユニットによって受信し得る。幾つかの実施形態では、受信ユニットは、復号化方式を使用して電磁波を復号化し得る。
【００７１】
[0083]  動作１１２２において、変調された電磁波を通して受信したデータに基づいて、状態変更構成要素の状態を変更し得る。例えば、表示画面の輝度又は色を変更し得る。
【００７２】
[0084]  本発明の一態様は、分散発現を提供する別の方法に関する。そのような方法を示すフローチャートを図１１に提供する。方法１２００は動作１２０２において開始し得、動作１２０２において、複数のデータセットが生成される。データセットは、状態データ及び対応する空間座標データを含み得る。空間座標データは、対応する状態データを送信すべき方向における複数のターゲットエリア内のロケーションを指定し得る。状態データは、状態変更構成要素が制御される様式を指定し得る。例えば、状態データは、ウォッチ又はスマートフォン等の受信ユニットの表示画面の輝度を指定し得る。データセットは、幾つかの実施形態では、互いに関して複数のプロジェクタを同期させるように構成される同期シーケンスを更に含み得る。
【００７３】
[0085]  動作１２０３において、有線接続を介して又は無線で、動作１２０２において生成されたデータセットの第１の部分を第１のプロジェクタに送信し得る。プロジェクタは、光波等の電磁波を生成し得、データセットの第１の部分を使用して電磁波を変調し得る。幾つかの実施形態では、電磁波の部分は、対応する空間座標データに基づいて異なる状態データを用いて変調し得る。
【００７４】
[0086]  動作１２０４において、有線接続を介して又は無線で、動作１２０２において生成されたデータセットの第２の部分を第２のプロジェクタに送信し得る。プロジェクタは、光波等の電磁波を生成し得、データセットの第２の部分を使用して電磁波を変調し得る。幾つかの実施形態では、電磁波の部分は、対応する空間座標データに基づいて異なる状態データを用いて変調し得る。
【００７５】
[0087]  動作１２０５において、投影モジュールを使用して、第１のエリアの方向に動作１２０３の変調された電磁波を送信し得る。幾つかの実施形態では、第１のエリアは複数のサブエリアに分割し得、電磁波の異なる部分は異なるサブエリアに向けて送信し得る。
【００７６】
[0088]  動作１２０６において、投影モジュールを使用して、第２のエリアの方向に動作１２０４の変調された電磁波を送信し得る。幾つかの実施形態では、第２のエリアは複数のサブエリアに分割し得、電磁波の異なる部分は異なるサブエリアに向けて送信し得る。
【００７７】
[0089]  幾つかの実施形態では、第１のエリア及び第２のエリアは、空間において互いに重複しない。この状況では、第１のエリアに位置する受信ユニットは、動作１２０６において送信された電磁波を受信しない。同様に、第２のエリアに位置する受信ユニットは、動作１２０５において送信された電磁波を受信しない。
【００７８】
[0090]  他の実施形態では、第１のエリアは、第２のエリアに少なくとも部分的に重複し得る。そのような状況では、第１のエリアに位置する受信ユニット及び第２のエリアに位置する受信ユニットは、動作１２０５及び１２０６に対応する電磁波を受信し得る。
【００７９】
[0091]  動作１２０７において、動作１２０３の変調された電磁波は、第１のエリア内に位置する受信ユニットによって受信し得る。動作１２０８において、動作１２０４の変調された電磁波は、第２のエリア内に位置する受信ユニットによって受信し得る。
【００８０】
[0092]  動作１２０９において、第１のエリア内の状態変更構成要素の状態は、変調された電磁波を通して受信したデータに基づいて変更し得る。例えば、表示画面の輝度又は色を変更し得る。同様に、動作１２１０において、第２のエリア内の状態変更構成要素の状態は、変調された電磁波を通して受信したデータに基づいて変更し得る。
【００８１】
[0093]  図１２は、本発明の特定の態様の実施に使用し得るコンピュータ９１０の形態の汎用計算デバイスを示す。例えば、コンピュータ９１０又はその構成要素は、上述した任意のモバイルデバイス、サーバ構成要素、及び／又はネットワーキング構成要素を構成し得る。
【００８２】
[0094]  コンピュータ９１０において、構成要素は、限定ではなく、処理ユニット９２０、システムメモリ９３０、及びシステムメモリを含む様々なシステム構成要素を処理ユニット９２０に結合するシステムバス９２１を含む。システムバス９２１は、メモリバス又はメモリコントローラ、周辺バス、及び任意の多種多様なバス構造を使用するローカルバスを含む任意の様々なタイプのバス構造のものであり得る。限定ではなく例として、そのような構造としては、業界標準アーキテクチャ（ＩＳＡ）バス、マイクロチャネルアーキテクチャ（ＭＣＡ）バス、拡張ＩＳＡ（ＥＩＳＡ）バス、ビデオエレクトロニクス規格協会（ＶＥＳＡ）ローカルバス、メザニンバスとしても知られる周辺機器相互接続（ＰＣＩ）バスが挙げられる。
【００８３】
[0095]  コンピュータ９１０は通常、多種多様なコンピュータ可読媒体を含む。コンピュータ可読媒体は、コンピュータ９１０によりアクセス可能な任意の利用可能な媒体であることができ、揮発性及び不揮発性の媒体、リムーバブル及び非リムーバブルの媒体の両方を含む。限定ではなく例として、コンピュータ可読媒体は、コンピュータ記憶媒体及び通信媒体を含み得る。コンピュータ記憶媒体は、コンピュータ可読命令、データ構造、プログラムモジュール、又は他のデータ等の情報を記憶する、任意の方法又は技術で実施される揮発性及び不揮発性、リムーバブル及び非リムーバブルな媒体の両方を含む。コンピュータ記憶媒体としては、限定ではなく、ＲＡＭ、ＲＯＭ、ＥＥＰＲＯＭ、フラッシュメモリ、若しくは他のメモリ技術、ＣＤ−ＲＯＭ、デジタル多用途ディスク（ＤＶＤ）若しくは他の光学ディスク記憶装置、磁気カセット、磁気テープ、磁気ディスク記憶装置、又は他の磁気記憶装置、又は所望の情報の記憶に使用し得、コンピュータ９１０によりアクセス可能な任意の他の１つ若しくは複数の媒体が挙げられる。通信媒体は通常、コンピュータ可読命令、データ構造、プログラムモジュール、又は搬送波若しくは他の輸送メカニズム等の変調データ信号内の他のデータを実施し、任意の情報輸送媒体を含む。用語「変調データ信号」は、信号に情報を符号化するように設定又は変更された特性の１つ又は複数を有する信号を意味する。限定ではなく例として、通信媒体は、有線ネットワーク又は直接有線接続等の有線媒体並びに音響媒体、ＲＦ媒体、赤外線媒体、及び他の無線媒体等の無線媒体を含む。上記の任意の組合せもコンピュータ可読媒体の範囲内に含まれるべきである。
【００８４】
[0096]  システムメモリ９３０は、読み取り専用メモリ（ＲＯＭ）９３１及びランダムアクセスメモリ（ＲＡＭ）９３２等の揮発性及び／又は不揮発性メモリの形態のコンピュータ記憶媒体を含む。スタートアップ中等のコンピュータ９１０内の要素間での情報の移送に役立つ基本ルーチンを含む基本入出力システム９３３（ＢＩＯＳ）は通常、ＲＯＭ９３１に記憶される。ＲＡＭ９３２は通常、処理ユニット９２０が即座にアクセス可能であり、及び／又は処理ユニット９２０で現在動作中であるデータ及び／又はプログラムモジュールを含む。限定ではなく例として、図１２は、オペレーティングシステム９３４、アプリケーションプログラム９３５、他のプログラムモジュール９３９、及びプログラムデータ９３７を示す。
【００８５】
[0097]  コンピュータ９１０は、他のリムーバブル／非リムーバブル、揮発性／不揮発性コンピュータ記憶媒体を含むこともできる。単なる例として、図１２は、非リムーバブル不揮発性磁気媒体に対して読み出し又は書き込みを行うハードディスクドライブ９４１、リムーバブル不揮発性磁気ディスク９５２に対して読み出し又は書き込みを行う磁気ディスクドライブ９５１、及びＣＤ  ＲＯＭ又は他の光学媒体等のリムーバブル不揮発性光ディスク９５９に対して読み出し又は書き込みを行う光ディスクドライブ９５５を示す。例示的な計算システムに使用することができる他のリムーバブル／非リムーバブル、揮発性／不揮発性コンピュータ記憶媒体には、限定ではなく、磁気テープカセット、フラッシュメモリカード、デジタル多用途ディスク、デジタルビデオテープ、固体状態ＲＡＭ、固体状態ＲＯＭ等がある。ハードディスクドライブ９４１は通常、インターフェース９４０等の不揮発性メモリインターフェースを通してシステムバス９２１に接続され、磁気ディスクドライブ９５１及び光ディスクドライブ９５５は通常、インターフェース９５０等のリムーバブルメモリインターフェースによりシステムバス９２１に接続される。
【００８６】
[0098]  上述し、図１２に示されるドライブ及び関連するコンピュータ記憶媒体は、コンピュータ可読命令、データ構造、プログラムモジュール、及びコンピュータ９１０の他のデータの記憶を提供する。図１２では、例えば、ハードディスクドライブ９４１は、オペレーティングシステム９４４、アプリケーションプログラム９４５、他のプログラムモジュール９４９、及びプログラムデータ９４７を記憶するものとして示されている。なお、これらの構成要素は、オペレーティングシステム９３４、アプリケーションプログラム９３５、他のプログラムモジュール５３９、及びプログラムデータ９３７と同じであってもよく、又は異なってもよい。オペレーティングシステム９４４、アプリケーションプログラム９４５、他のプログラムモジュール９４９、及びプログラムデータ９４７は、ここでは、最低でも、異なるコピーであることを示すために異なる番号が与えられている。ユーザは、キーボード９９２及び一般にマウス、トラックボール、又はタッチパッドと呼ばれるポインティングデバイス９９１等の入力デバイスを通して、コマンド及び情報をコンピュータ９１０に入力し得る。他の入力デバイス（図示せず）は、マイクロホン、ジョイスティック、ゲームパッド、パラボラアンテナ、スキャナ等を含み得る。これら及び他の入力デバイスは多くの場合、システムバスに結合されるが、パラレルポート、ゲームポート、又はユニバーサルシリアルバス（ＵＳＢ）等の他のインターフェース及びバス構造によって接続してもよいユーザ入力インターフェース５９０を通して処理ユニット９２０に接続される。モニタ９９１又は他のタイプの表示デバイスも、ビデオインターフェース９９０等のインターフェースを介してシステムバス９２１に接続される。モニタに加えて、コンピュータは、スピーカ９９７及びプリンタ９９９等の他の周辺出力デバイスを含むこともでき、これらは出力周辺インターフェース９９５を通して接続し得る。
【００８７】
[0099]  コンピュータ９１０は、リモートコンピュータ９８０等の１つ又は複数のリモートコンピュータへの論理接続を使用してネットワーク環境で動作し得る。リモートコンピュータ９８０は、パーソナルコンピュータ、サーバ、ルータ、ネットワークＰＣ、ピアデバイス、又は他の共通ネットワークノードであり得、通常、コンピュータ９１０に関して上述した要素の多く又は全てを含むが、メモリ記憶装置９８１のみが図１２に示されている。図１２に示されている論理接続は、ローカルエリアネットワーク（ＬＡＮ）９７１及び広域ネットワーク（ＷＡＮ）９７３を含むが、他のネットワークを含むこともできる。そのようなネットワーキング環境は、オフィス、企業規模のコンピュータネットワーク、イントラネット、及びインターネットで一般的である。
【００８８】
[00100]  ＬＡＮネットワーキング環境で使用される場合、コンピュータ９１０は、ネットワークインターフェース又はアダプタ９７０を通してＬＡＮ９７１に接続される。ＷＡＮネットワーキング環境で使用される場合、コンピュータ９１０は通常、インターネット等のＷＡＮ９７３を介して通信を確立するためのモデム９７２又は他の手段を含む。モデム９７２は、内部にあっても外部にあってもよく、ユーザ入力インターフェース９９０又は他の適切な機構を介してシステムバス９２１に接続し得る。ネットワーク環境では、コンピュータ９１０又はその部分に関して示されたプログラムモジュールは、リモートメモリ記憶装置に記憶し得る。限定ではなく例として、図１２は、メモリデバイス９８１に常駐するものとしてリモートアプリケーションプログラム９８５を示す。示されているネットワーク接続が例示であり、コンピュータ間に通信リンクを確立する他の手段を使用することも可能なことが理解される。
【００８９】
[00101]  本発明の実施形態は、１つ又は複数のコンピュータ又は他のプロセッサで実行されると、上述した本発明の様々な実施形態を実施する方法を実行する１つ又は複数のプログラムが符号化されたコンピュータ可読記憶媒体（又は複数のコンピュータ可読媒体）（例えば、コンピュータメモリ、１つ又は複数のフロッピーディスク、コンパクトディスク（ＣＤ）、光ディスク、デジタルビデオディスク（ＤＶＤ）、磁気テープ、フラッシュメモリ、フィールドプログラマブルゲートアレイ内の回路構成若しくは他の半導体デバイス、又は他の有形コンピュータ記憶媒体）として実施し得る。上記例から明らかなように、コンピュータ可読記憶媒体は、非一時的な形態でコンピュータ実行可能命令を提供するのに十分な時間、情報を保持し得る。そのようなコンピュータ可読記憶媒体は、輸送可能であることができ、それにより、記憶された１つ又は複数のプログラムは、１つ又は複数の異なるコンピュータ又は他のプロセッサにロードして、上述した本発明の様々な態様を実施することができる。本明細書で使用される場合、用語「コンピュータ可読記憶媒体」は、コンピュータが情報を読み取ることができる有形のマシン、機構、又はデバイスのみを包含する。代替又は追加として、本発明は、コンピュータ可読記憶媒体以外のコンピュータ可読媒体として実施し得る。コンピュータ可読記憶媒体ではないコンピュータ可読媒体の例としては、伝播信号のような一時的媒体が挙げられる。
【００９０】
[00102]  本発明の少なくとも１つの実施形態の幾つかの態様を上記の通り説明したが、様々な代替、変更、及び改善を当業者が思い付くことを理解されたい。そのような代替、変更、及び改善は、本開示の一部であることを意図し、本発明の趣旨及び範囲内にあることを意図する。さらに、本発明の利点が示されるが、本発明のあらゆる実施形態が、記載されたあらゆる利点を含むわけではないことを理解されたい。幾つかの実施形態は、本明細書において利点として説明されたいかなる特徴も実施しないことがあり、幾つかの場合。したがって、上記説明及び図面は単なる例である。
【００９１】
[00103]  本発明の様々な態様は、単独で、組み合わせて、又は上述した実施形態では特に考察されていない多種多様な構成で使用し得、したがって、用途において、上記説明に記載又は図面に示される構成要素の詳細及び配置に限定されない。例えば、一実施形態において説明された態様は、他の実施形態において説明された態様と任意の様式で組み合わせ得る。
【００９２】
[00104]  本発明は方法として実施し得、その一例について説明した。方法の一環として実行される動作は、任意の適する方法で並べ得る。したがって、説明される動作とは異なる動作を含み得、及び／又は特に上述された実施形態では順次実行されるものとして示されているにも関わらず、幾つかの動作を同時に実行することを含み得る、動作が示される順序とは異なる順序で実行される実施形態を構築することもできる。
【００９３】
[00105]  特許請求の範囲においてクレーム要素を修飾するための「第１」、「第２」、「第３」等の序数詞の使用は、それ自体では、あるクレーム要素の別のクレーム要素と比較したいかなる優先、先行、若しくは順序又は方法の動作が実行される時間的順序も含意せず、クレーム要素を区別するために、特定の名称を有するあるクレーム要素を同じ名称を有する（序数詞の使用がなければ）別の要素から区別するための単なるラベルとして使用されている。
【００９４】
[00106]  また、本明細書で使用される語句及び用語は、説明を目的としており、限定として見なされるべきではない。「含む（including）」、「含む（comprising）」又は「有する（having）」、「含む（containing）」、「含む（involving）」、及びその変形の本明細書での使用は、その後に列挙されたアイテム及びそれらの均等物並びに追加のアイテムの包含を意味する。
【図１】
2019536494.tif 000003
【図２】
2019536494.tif 000004
【図３】
2019536494.tif 000005
【図４】
2019536494.tif 000006
【図５】
2019536494.tif 000007
【図６】
2019536494.tif 000008
【図７Ａ】
2019536494.tif 000009
【図７Ｂ】
2019536494.tif 000010
【図８】
2019536494.tif 000011
【図９】
2019536494.tif 000012
【図１０】
2019536494.tif 000013
【図１１】
2019536494.tif 000014
【図１２】
2019536494.tif 000015
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
システムであって、
第１のエリアに配置される複数の第１の受信ユニットと、
前記第１のエリアとは別個の第２のエリアに配置される複数の第２の受信ユニットと、
前記複数の第２の受信ユニットのいずれも第１のデータを受信しないように、前記第１のデータを前記第１のエリアに送信するように構成された少なくとも１つの第１の送信機ユニットであって、前記第１のデータは、複数のターゲットロケーションのそれぞれに対応する第１の状態情報を含む、少なくとも１つの第１の送信機ユニットと、
前記複数の第１の受信ユニットのいずれも第２のデータを受信しないように、前記第２のデータを前記第２のエリアに送信するように構成された少なくとも１つの第２の送信機ユニットであって、前記第２のデータは、前記複数のターゲットロケーションのそれぞれに対応する第２の状態情報を含む、少なくとも１つの第２の送信機ユニットと
を含み、
前記複数の第１の受信ユニットのそれぞれ１つは、前記複数のターゲットロケーションのうちの第１のターゲットロケーションにおいて前記第１のデータを受信し、前記第１のデータを処理し、前記第１のデータが受信されたとき、前記１つの第１の受信ユニットが前記第１のターゲットロケーションにあった結果として、前記第１のターゲットロケーションに対応する前記第１の状態情報に従って状態を表現するように構成され、
前記複数の第２の受信ユニットのそれぞれ１つは、前記複数のターゲットロケーションのうちの第２のターゲットロケーションにおいて前記第２のデータを受信し、前記第２のデータを処理し、前記第２のデータが受信されたとき、前記１つの第２の受信ユニットが前記第２のターゲットロケーションにあった結果として、前記第２のターゲットロケーションに対応する前記第２の状態情報に従って状態を表現するように構成される、システム。
【請求項２】
前記第１のエリアは、前記第２のエリアを少なくとも部分的に囲む、請求項１に記載のシステム。
【請求項３】
前記少なくとも１つの第１の送信機ユニット及び前記少なくとも１つの第２の送信機ユニットに同期信号を提供することにより、前記少なくとも１つの第１の送信機ユニットを前記少なくとも１つの第２の送信機ユニットと同期させるように構成されるプロセッサを更に含む、請求項１に記載のシステム。
【請求項４】
前記複数の第１の受信ユニット及び前記複数の第２の受信ユニットのそれぞれは、１つ又は複数の視覚的特徴の表現、１つ又は複数の音声の生成、匂いの生成、移動、及び１つ又は複数の触覚特徴の表現からなる状態群から選択される状態を表現するように構成される、請求項１に記載のシステム。
【請求項５】
前記複数の第１の受信ユニット及び前記複数の第２の受信ユニットのそれぞれは、状態を表現するように動作可能な状態変更構成要素を含み、前記状態変更構成要素は、発光ダイオード、有機発光ダイオード、量子ドット、白熱灯、ネオン灯、液晶ディスプレイ、プラズマディスプレイ、電子ペーパーディスプレイ、エレクトロクロミックディスプレイ、サーモクロミックディスプレイ、電子機械作動光フィルタ、エレクトロルミネセント素子、及び燐光発光素子からなる群から選択される、請求項１に記載のシステム。
【請求項６】
前記少なくとも１つの第１の送信機ユニットは、第１の発光素子を含み、前記第１のデータは、前記第１の発光素子によって発せられる第１の光波に符号化され、前記少なくとも１つの第２の送信機ユニットは、第２の発光素子を含み、前記第２のデータは、前記第２の発光素子によって発せられる第２の光波に符号化される、請求項１に記載のシステム。
【請求項７】
前記少なくとも１つの第１の送信機は、前記第１の光波を生成するように構成されたレーザを含む、請求項６に記載のシステム。
【請求項８】
前記少なくとも１つの第１の送信機ユニットは、第１の波長を有する第１の光波を変調することにより前記複数の第１の受信ユニットのうちの１つに前記第１のデータを送信し、前記第１の波長と異なる第２の波長を有する第２の光波を変調することにより、前記複数の第１の受信ユニットのうちの別のものに前記第１のデータを送信するように構成される、請求項１に記載のシステム。
【請求項９】
システムであって、
第１のエリア内に配置される複数の第１の受信ユニットと、
前記第１のエリアに部分的に重複する第２のエリア内に配置される複数の第２の受信ユニットと、
第１のデータを前記第１のエリアに送信するように構成された少なくとも１つの第１の送信機ユニットであって、前記第１のデータは、複数のターゲットロケーションにそれぞれ対応する第１の状態情報を含む、少なくとも１つの第１の送信機ユニットと、
第２のデータを前記第２のエリアに送信するように構成された少なくとも１つの第２の送信機ユニットであって、前記第２のデータは、複数のターゲットロケーションにそれぞれ対応する第２の状態情報を含む、少なくとも１つの第２の送信機ユニットと
を含み、
前記複数の第１の受信ユニットのそれぞれ１つは、前記複数のターゲットロケーションの第１のターゲットロケーションにおいて前記第１のデータを受信し、前記第１のデータを処理し、前記第１のデータが受信されたとき、前記第１の受信ユニットのそれぞれが前記第１のターゲットロケーションにあったことの結果として、前記第１のターゲットロケーションに対応する前記第１の状態情報に従って状態を表現するように構成され、
前記複数の第２の受信ユニットのそれぞれ１つは、前記複数のターゲットロケーションの第２のターゲットロケーションにおいて前記第２のデータを受信し、前記第２のデータを処理し、前記第２のデータが受信されたとき、前記第２の受信ユニットのそれぞれが前記第２のターゲットロケーションにあったことの結果として、前記第２のターゲットロケーションに対応する前記第２の状態情報に従って状態を表現するように構成され、
前記複数の第１の受信ユニットの少なくとも１つは、前記第１のデータ及び前記第２のデータの両方を受信するように構成される、システム。
【請求項１０】
前記第１のデータ及び前記第２のデータを受信するように構成された前記複数の第１の受信ユニットのうちの前記少なくとも１つは、前記第１のデータ及び前記第２のデータの両方ではない、前記第１のデータ又は前記第２のデータのいずれかを選択的に処理するように更に構成される、請求項９に記載のシステム。
【請求項１１】
前記少なくとも１つの第１の送信機ユニット及び前記少なくとも１つの第２の送信機ユニットに同期信号を提供することにより、前記少なくとも１つの第１の送信機ユニットを前記少なくとも１つの第２の送信機ユニットと同期させるように構成されたプロセッサを更に含む、請求項９に記載のシステム。
【請求項１２】
前記複数の第１の受信ユニット及び前記複数の第２の受信ユニットのそれぞれは、１つ又は複数の視覚的特徴の表現、１つ又は複数の音声の生成、匂いの生成、移動、及び１つ又は複数の触覚特徴の表現からなる状態群から選択される状態を表現するように構成される、請求項９に記載のシステム。
【請求項１３】
前記複数の第１の受信ユニット及び前記複数の第２の受信ユニットのそれぞれは、状態を表現するように動作可能な状態変更構成要素を含み、前記状態変更構成要素は、発光ダイオード、有機発光ダイオード、量子ドット、白熱灯、ネオン灯、液晶ディスプレイ、プラズマディスプレイ、電子ペーパーディスプレイ、エレクトロクロミックディスプレイ、サーモクロミックディスプレイ、電子機械作動光フィルタ、エレクトロルミネセント素子、及び燐光発光素子からなる群から選択される、請求項９に記載のシステム。
【請求項１４】
前記少なくとも１つの第１の送信機ユニットは、第１の発光素子を含み、前記第１のデータは、前記第１の発光素子によって発せられる第１の光波に符号化され、前記少なくとも１つの第２の送信機ユニットは、第２の発光素子を含み、前記第２のデータは、前記第２の発光素子によって発せられる第２の光波に符号化される、請求項９に記載のシステム。
【請求項１５】
前記少なくとも１つの第１の送信機は、前記第１の光波を生成するように構成されたレーザを含む、請求項１４に記載のシステム。
【請求項１６】
前記少なくとも１つの第１の送信機ユニットは、第１の波長を有する第１の光波を変調することにより前記複数の第１の受信ユニットのうちの１つに前記第１のデータを送信し、前記第１の波長と異なる第２の波長を有する第２の光波を変調することにより、前記複数の第１の受信ユニットのうちの別のものに前記第１のデータを送信するように構成される、請求項９に記載のシステム。
【請求項１７】
前記少なくとも１つの第２の送信機ユニットは、前記第１のエリアが前記第２のエリアに重複する第３のエリアをマスキングするように構成される、請求項９に記載のシステム。
【請求項１８】
第１のエリアにおけるそれぞれのターゲットロケーションに配置される複数の第１の受信ユニットのそれぞれ１つによって、少なくとも１つの第１の送信機ユニットから受信された、前記ターゲットロケーションに対応する第１の状態情報を含む第１のデータを処理する動作（Ａ）であって、前記処理の結果、前記１つの第１の受信ユニットが前記第１の状態情報に従って状態を表現することとなる、動作（Ａ）と、
前記第１のエリアとは別個の第２のエリアにおけるそれぞれのターゲットロケーションに配置される複数の第２の受信ユニットのそれぞれ１つによって、少なくとも１つの第２の送信機ユニットから受信された、前記ターゲットロケーションに対応する第２の状態情報を含む第２のデータを処理する動作（Ｂ）であって、前記処理の結果、前記１つの第２の受信ユニットが前記第２の状態情報に従って状態を表現することとなる、動作（Ｂ）と
を含み、
前記動作（Ａ）は、前記複数の第２の受信ユニットのいずれもが受信しないように前記第１のエリアに送信された第１のデータを、前記複数の第１の受信ユニットのそれぞれ１つが処理することを含み、前記動作（Ｂ）前記複数の第１の受信ユニットのいずれもが該第２のデータを受信しないように前記第２のエリアに送信された第２のデータを、前記複数の第２の受信ユニットのそれぞれ１つが処理することを含む、方法。
【請求項１９】
前記第１のエリアは、前記第２のエリアを少なくとも部分的に囲む、請求項１８に記載の方法。
【請求項２０】
前記動作（Ａ）は、前記複数の第１の受信ユニットが、同期信号を介して前記少なくとも１つの第２の送信機ユニットと同期された少なくとも１つの第１の送信機ユニットから受信された第１のデータを処理することを含む、請求項１８に記載の方法。
【請求項２１】
前記動作（Ａ）は、前記複数の第１の受信ユニットが、１つ又は複数の視覚的特徴の表現、１つ又は複数の音声の生成、匂いの生成、移動、及び１つ又は複数の触覚特徴の表現からなる状態群から選択される状態を表現するように前記第１のデータを処理することを含む、請求項１８に記載の方法。
【請求項２２】
前記動作（Ａ）は、前記複数の第１の受信ユニットが、状態を表現するように動作可能な状態変更構成要素を用いて前記第１のデータを処理することを含み、前記状態変更構成要素は、発光ダイオード、有機発光ダイオード、量子ドット、白熱灯、ネオン灯、液晶ディスプレイ、プラズマディスプレイ、電子ペーパーディスプレイ、エレクトロクロミックディスプレイ、サーモクロミックディスプレイ、電子機械作動光フィルタ、エレクトロルミネセント素子、及び燐光発光素子からなる群から選択される、請求項１８に記載の方法。
【請求項２３】
前記少なくとも１つの第１の送信機ユニットは、第１の発光素子を含み、前記第１のデータは、前記第１の発光素子によって発せられる第１の光波に符号化され、前記少なくとも１つの第２の送信機ユニットは、第２の発光素子を含み、前記第２のデータは、前記第２の発光素子によって発せられる第２の光波に符号化される、請求項１８に記載の方法。
【請求項２４】
前記少なくとも１つの第１の送信機は、前記第１の光波を生成するように構成されたレーザを含む、請求項２３に記載の方法。
【請求項２５】
前記少なくとも１つの第１の送信機ユニットは、第１の波長を有する第１の光波を変調することにより前記複数の第１の受信ユニットのうちの１つに前記第１のデータを送信し、前記第１の波長と異なる第２の波長を有する第２の光波を変調することにより、前記複数の第１の受信ユニットのうちの別のものに前記第１のデータを送信するように構成される、請求項１８に記載の方法。
【請求項２６】
命令が符号化されている少なくとも１つのコンピュータ可読記憶媒体であって、前記命令は、実行されると、
第１のエリアにおけるそれぞれのターゲットロケーションに配置される複数の第１の受信ユニットのそれぞれ１つによって、少なくとも１つの第１の送信機ユニットから受信された、前記ターゲットロケーションに対応する第１の状態情報を含む第１のデータを処理する動作（Ａ）であって、前記処理の結果、前記１つの第１の受信ユニットが前記第１の状態情報に従って状態を表現することとなる、動作（Ａ）と、
前記第１のエリアとは別個の第２のエリアにおけるそれぞれのターゲットロケーションに配置される複数の第２の受信ユニットのそれぞれ１つによって、少なくとも１つの第２の送信機ユニットから受信された、前記ターゲットロケーションに対応する第２の状態情報を含む第２のデータを処理する動作（Ｂ）であって、前記処理の結果、前記１つの第２の受信ユニットが前記第２の状態情報に従って状態を表現することとなる、動作（Ｂ）とを含む方法を実行し、
前記動作（Ａ）は、前記複数の第２の受信ユニットのいずれもが受信しないように前記第１のエリアに送信された第１のデータを、前記複数の第１の受信ユニットのそれぞれ１つが処理することを含み、前記動作（Ｂ）は、前記複数の第１の受信ユニットのいずれもが該第２のデータを受信しないように前記第２のエリアに送信された第２のデータを、前記複数の第２の受信ユニットのそれぞれ１つが処理することを含む、
少なくとも１つのコンピュータ可読記憶媒体。
【請求項２７】
第１のエリアにおけるそれぞれのターゲットロケーションに配置される複数の第１の受信ユニットのそれぞれ１つによって、少なくとも１つの第１の送信機ユニットから受信された、前記ターゲットロケーションに対応する第１の状態情報を含む第１のデータを処理する動作（Ａ）であって、前記処理の結果、前記１つの第１の受信ユニットが前記第１の状態情報に従って状態を表現することとなる、動作（Ａ）と、
前記第１のエリアと部分的に重複する第２のエリアにおけるそれぞれのターゲットロケーションに配置される複数の第２の受信ユニットのそれぞれ１つによって、少なくとも１つの第２の送信機ユニットから受信された、前記ターゲットロケーションに対応する第２の状態情報を含む第２のデータを処理する動作（Ｂ）であって、前記処理の結果、前記１つの第２の受信ユニットが前記第２の状態情報に従って状態を表現することとなる、動作（Ｂ）と
を含み、
前記動作（Ａ）は、前記複数の第１の受信ユニットの少なくとも１つが前記第１のデータ及び前記第２のデータの両方を受信することを含む、方法。
【請求項２８】
前記動作（Ａ）は、前記複数の第１の受信ユニットの前記少なくとも１つが、前記第１のデータ及び前記第２のデータを受信し、前記第１のデータ及び前記第２のデータの両方ではなく、前記第１のデータ又は前記第２のデータのいずれかを選択的に処理することを含む、請求項２７に記載の方法。
【請求項２９】
前記動作（Ａ）は、前記複数の第１の受信ユニットが、同期信号を介して前記少なくとも１つの第２の送信機ユニットと同期された少なくとも１つの第１の送信機ユニットから受信された第１のデータを処理することを含む、請求項２７に記載の方法。
【請求項３０】
前記動作（Ａ）は、前記複数の第１の受信ユニットが、１つ又は複数の視覚的特徴の表現、１つ又は複数の音声の生成、匂いの生成、移動、及び１つ又は複数の触覚特徴の表現からなる状態群から選択される状態を表現するように前記第１のデータを処理することを含む、請求項２７に記載の方法。
【請求項３１】
前記動作（Ａ）は、前記複数の第１の受信ユニットが、状態を表現するように動作可能な状態変更構成要素を用いて前記第１のデータを処理することを含み、前記状態変更構成要素は、発光ダイオード、有機発光ダイオード、量子ドット、白熱灯、ネオン灯、液晶ディスプレイ、プラズマディスプレイ、電子ペーパーディスプレイ、エレクトロクロミックディスプレイ、サーモクロミックディスプレイ、電子機械作動光フィルタ、エレクトロルミネセント素子、及び燐光発光素子からなる群から選択される、請求項２７に記載の方法。
【請求項３２】
前記少なくとも１つの第１の送信機ユニットは、第１の発光素子を含み、前記第１のデータは、前記第１の発光素子によって発せられる第１の光波に符号化され、前記少なくとも１つの第２の送信機ユニットは、第２の発光素子を含み、前記第２のデータは、前記第２の発光素子によって発せられる第２の光波に符号化される、請求項２７に記載の方法。
【請求項３３】
前記少なくとも１つの第１の送信機は、前記第１の光波を生成するように構成されたレーザを含む、請求項３２に記載の方法。
【請求項３４】
前記少なくとも１つの第１の送信機ユニットは、第１の波長を有する第１の光波を変調することにより前記複数の第１の受信ユニットのうちの１つに前記第１のデータを送信し、前記第１の波長と異なる第２の波長を有する第２の光波を変調することにより、前記複数の第１の受信ユニットのうちの別のものに前記第１のデータを送信するように構成される、請求項２７に記載の方法。
【請求項３５】
前記動作（Ｂ）は、前記複数の第２の受信ユニットが、前記第１のエリアが前記第２のエリアに重複する第３のエリアをマスキングする少なくとも１つの第２の送信機ユニットからの第２のデータを処理することを含む、請求項２７に記載の方法。
【請求項３６】
命令が符号化されている少なくとも１つのコンピュータ可読記憶媒体であって、前記命令は、実行されると、
第１のエリアにおけるそれぞれのターゲットロケーションに配置される複数の第１の受信ユニットのそれぞれ１つによって、少なくとも１つの第１の送信機ユニットから受信された、前記ターゲットロケーションに対応する第１の状態情報を含む第１のデータを処理する動作（Ａ）であって、前記処理の結果、前記１つの第１の受信ユニットが前記第１の状態情報に従って状態を表現することとなる、動作（Ａ）と、
前記第１のエリアと部分的に重複する第２のエリアにおけるそれぞれのターゲットロケーションに配置される複数の第２の受信ユニットのそれぞれ１つによって、少なくとも１つの第２の送信機ユニットから受信された、前記ターゲットロケーションに対応する第２の状態情報を含む第２のデータを処理する動作（Ｂ）であって、前記処理の結果、前記１つの第２の受信ユニットが前記第２の状態情報に従って状態を表現することとなる、動作（Ｂ）とを含む方法を実行し、
前記動作（Ａ）は、前記複数の第１の受信ユニットの少なくとも１つが前記第１のデータ及び前記第２のデータの両方を受信することを含む、
少なくとも１つのコンピュータ可読記憶媒体。
【国際調査報告】
2019536494.tif 000016
2019536494.tif 000017
2019536494.tif 000018